(57)【要約】      （修正有）【課題】首や肩のこりをほぐすと共にいびきや無呼吸症候群を抑制し、更にはむち打ち等の頚椎痛を軽減可能な枕を提供する。【解決手段】頭部を支持する頭部支持部１１と、頭部支持部１１と連設され頚椎を支持する頚椎支持部１２とを有する枕１０において、頭部支持部１１の枕利用者の両側頭部に位置する側に壁部１３を立設し、頭部支持部１１の厚みを枕利用者の後頭部が寝床面と略同一高さになる程度に形成し、頚椎支持部１２を枕利用者の頚椎の湾曲形状に沿った形状に設け、頭部支持部１１及び頚椎支持部１２を低反発素材で構成した。【選択図】図１
0003201851.tif 000002
【実用新案登録請求の範囲】
【請求項１】
頭部を支持する頭部支持部と、頭部支持部と連設され頚椎を支持する頚椎支持部とを有する枕であって、
頭部支持部の、枕利用者の両側頭部に位置する側に、壁部を立設したこと、
頭部支持部の厚みを、枕利用者の後頭部が寝床面と略同一高さになる程度に形成したこと、
頚椎支持部を枕利用者の頚椎の湾曲形状に沿った形状に設けたこと、
頭部支持部及び頚椎支持部を低反発素材で形成したこと、
を特徴とする枕。
【請求項２】
頭部支持部の厚みを２０ｍｍ以下に形成した請求項１に記載の枕。
【考案の詳細な説明】
【技術分野】
【０００１】
本考案は枕に関し、より詳しくは首や肩のこりをほぐすと共にいびきや無呼吸症候群を抑制し、更にはむち打ち等の頚椎痛を軽減可能な枕に関する。
【背景技術】
【０００２】
睡眠中に首や肩のこり等を取り除くことを目的とする枕は多数提案されている。
【０００３】
例えば、特許文献１には後頭部を載置する後頭部載置部と、頸椎を載置すると共に後頭部載置部より高さの高い頸椎載置部とよりなる頭部載置部台の両側に、頭部の移動を抑制する頭部移動制止部を立設した枕が開示されている。この枕は頭部が左右に曲がるのを防ぎ、寝ている間に、頸椎の歪み、ズレ、湾曲を矯正し、もって首や肩のこりを取り除くことを目指して考案されたものである。
【０００４】
また、特許文献２には頭を支える部材と、頸椎を支える部材より成り、それぞれが別個に高さ調整できる枕が開示されている。この枕は頸椎と頭部を理想的な高さで支持することを目的とするものである。
【０００５】
特許文献３には、台座部に頭部が置かれる窪みと、頭部を両側から支持する側壁と、頚椎支持体及び脊髄支持体を備えた枕が開示されている。この枕は、頚椎及び脊椎を伸ばして、良好な寝姿で快適な睡眠をとることを目的とするものである。
【先行技術文献】
【特許文献】
【０００６】
【特許文献１】登録実用新案公報第３２００２００号
【特許文献２】登録実用新案公報第３１９８１３７号
【特許文献３】特開２０１０−６３６７４号公報
【考案の概要】
【考案が解決しようとする課題】
【０００７】
就寝者は頭部を枕に乗せ、仰向けに寝るのが通常である。ところが、これでは首から頭部が起き上がる形になり、頚部が引張られた体勢になるため、睡眠をとりながらもかえって頚部の筋肉や肩甲骨周辺の筋肉の緊張や疲労、血行不良が生じ、首の張りや肩こりを引き起こす要因になりかねない。
【０００８】
また、頚部が引張られていると喉の気道が狭くなり、いびきや無呼吸症候群の原因になりかねない。更には後遺症等によるむち打ち等の頚椎痛を悪化させる原因ともなる。
【０００９】
本考案は、上記問題点を解消可能な枕を提供することを目的とする。
【課題を解決するための手段】
【００１０】
上記の目的を達成する本考案の構成は次の通りである。
【００１１】
（１）  請求項１に記載の考案は、頭部を支持する頭部支持部と、頭部支持部と連設され頚椎を支持する頚椎支持部とを有する枕において、頭部支持部の枕利用者の両側頭部に位置する側に壁部を立設し、頭部支持部の厚みを枕利用者の後頭部が寝床面と略同一高さになる程度に形成し、頚椎支持部を枕利用者の頚椎の湾曲形状に沿った形状に設け、頭部支持部及び頚椎支持部を低反発素材で構成した。
【００１２】
（２）  請求項２に記載の考案は、請求項１記載の枕において、頭部支持部の厚みを２０ｍｍ以下に形成した。
【考案の効果】
【００１３】
上記のように構成される本考案が、如何に作用して課題を解決するかを図面を参照しながら概説する。
【００１４】
就寝時の好ましい姿勢は、図５に示すような壁に後頭部と背中、おしり、踵をつけた直立姿勢をそのまま仰向けに寝る姿勢といわれている。しかし、かかる姿勢では寝床面と首との間に隙間Ｓができてしまい、頚椎に負担をかけてしまう。
【００１５】
本考案は、かかる隙間を埋めることで、頚椎に負担をかけることなく首を支える枕を提供するものである。以下詳述する。
【００１６】
図１、図２に示すように本考案にかかる枕１０は、頭部を支持する頭部支持部１１と、頭部支持部１１と連設され頚椎を支持する頚椎支持部１２とを有するものである。
【００１７】
そして、頭部支持部１１の厚みは、就寝者が頭を乗せたときに後頭部が寝床面とほぼ同じ高さになる程度に設けてある。つまりは、図４に示すように就寝者Ｎの後頭部は寝床面と略同一高さになる。よって、一般的な枕のような首から頭部が起き上がる形にならず、ゆえに頚部が引張られないため、頚部の筋肉や肩甲骨周辺の筋肉に緊張が生じず、また喉の気道も確保できる。
【００１８】
ゆえに、首の張りや肩こりが生じず、また、いびきや無呼吸症候群を抑制することが可能となるのである。
【００１９】
更には、頚椎支持部１２を、枕利用者の頚椎の湾曲形状に沿った形状に設けてあることから、図４に示すように頚椎は頚椎支持部１２で支持されることになる。つまりは、頚椎が仰向けの状態で上方に少し湾曲した形状になり、喉の気道が開くと共に肩甲骨周辺の緊張が緩和されることになる。
【００２０】
かように頚椎を正常状態で支持可能であることから、後遺症等によるむち打ち等の頚椎痛を悪化させる恐れもなく、更には痛みを緩和解消することも期待できる。
【００２１】
すなわち、頚椎支持部１２によっても、首の張りや肩こり、いびきや無呼吸症候群を抑制することになるのである。
【００２２】
また、図１や図３に示すように本考案にかかる枕１０は、頭部支持部１１の枕利用者の両側頭部に位置する側に壁部１３，１３を立設してある。つまりは、就寝者の頭部支持部１１上に載せた頭部は、両側頭部側から壁部１３に挟まれることになり、寝返りが打てないことになる。これにより目覚めるまで上記の通りの姿勢、つまり頭部が寝床面と略同一高さにあると共に、頚椎が頚椎支持部１２で支持され理想的な湾曲形状を保ち続けることが可能となるのである。
【００２３】
更には、本考案にかなる枕１０を使用して就寝すると、後頭部と背中、おしり、踵をつけた直立姿勢をそのまま仰向けに寝る姿勢とほぼ同じ姿勢になることから、両肩が寝床面に着き、自然に両方の肩甲骨が中央によるのでおのずと脊髄が真っ直ぐになり、脊椎の矯正にもつながるものである。
【００２４】
また、頭部支持部１１及び頚椎支持部１２は低反発素材で形成してあることから、すなわち柔軟性及び弾力性を有する素材で形成してあることから、体型によって多少寝床面からの高低差があってもその人の状態に無理なく合わされることが可能となる。
【図面の簡単な説明】
【００２５】
【図１】本考案の斜視図
【図２】Ａ−Ａ線断面図
【図３】Ｂ−Ｂ線断面図
【図４】使用状態を示す説明図
【図５】理想的な就寝状態を示す説明図
【考案を実施するための形態】
【００２６】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２７】
枕本体１０は、側面視（図１におけるＹ矢視）において頚椎と寝床の間の隙間Ｓ（図５）を埋めることが可能な程度の高さ、具体的には４５ｍｍ程度の高さに形成された頚椎支持部１２と、この頚椎支持部１２から厚み（高さ）を漸増させながら枕使用者Ｎの頭上方向に延設される壁部１３とからなる枕型外形に形成されている。
【００２８】
但し、図１ないし図３に示されるように平面視において中央部に凹部である頭部支持部１１が設けてある。
【００２９】
頚椎支持部１２の形状は、図２に示されるように断面が角が湾曲した四角状であるが、断面が半円状であっても構わない。
【００３０】
頭部支持部１１の形状は平板状体であり、就寝者が頭を載せたときに後頭部が寝床面と略同一高さになる厚みを有するものである。具体的には２０ｍｍ程度の厚さにすれば、素材が低反発素材であることから後頭部が寝床面と略同一高さになるものである。
【００３１】
壁部１３は図１、図３に示すように略直方体形状を呈するものであり、頭部支持部１１から立設されるものである。
【００３２】
本考案にかかる枕１０は、低反発素材を用いて形成してある。壁部１３は必ずしも低反発素材で形成する必要はないが、頭部支持部１１及び頚椎支持部１２は利用者の体型にかかわらず頭部及び頚椎を適切に支持する必要があることから、低反発素材で形成する必要がある。低反発素材としては発泡ウレタンや、空気や水、ゲル状物質などを密封した袋体などが採用可能である。
【実施例】
【００３３】
頚椎支持部に温熱シートを貼着したり、あるいは磁気体を取り付ければ、首周辺の筋肉の緊張緩和及び血行促進が図れ、肩こりの解消に一層の効果を発揮するものである。
【符号の説明】
【００３４】
１０・・枕
１１・・頭部支持部
１２・・頚椎支持部
１３・・壁部
【図１】
0003201851.tif 000003
【図２】
0003201851.tif 000004
【図３】
0003201851.tif 000005
【図４】
0003201851.tif 000006
【図５】
0003201851.tif 000007